(57)【要約】【課題】手間を削減しつつ、適切に迷子を検出すること。【解決手段】本発明である人物検出システムは、監視カメラにて撮影した画像情報から、人物を表す人物情報を抽出する人物抽出部と、画像情報から、人物の行動を表す行動情報を抽出し、行動情報に基づいて複数の人物により形成されるグループを判定して人物情報を含むグループ情報を登録するグループ判定部と、監視カメラにて撮影した画像情報から、抽出した人物情報と行動情報とに基づいて第一人物を特定する第一人物特定部と、監視カメラにて撮影した画像情報から、第一人物として特定された人物の人物情報とグループ情報とに基づいて、第一人物と同一グループに属する第二人物を特定する第二人物特定部と、第一人物と第二人物とがそれぞれ特定された画像情報を撮影した監視カメラの位置情報に基づいて、第一人物と第二人物との位置を特定する位置特定部と、を備える。【選択図】図８
2018132803.tif 000002
【特許請求の範囲】
【請求項１】
監視カメラにて撮影した画像情報から、人物を表す人物情報を抽出する人物抽出部と、
前記画像情報から、前記人物の行動を表す行動情報を抽出し、当該行動情報に基づいて複数の人物により形成されるグループを判定して前記人物情報を含むグループ情報を登録するグループ判定部と、
前記監視カメラにて撮影した前記画像情報から、抽出した前記人物情報と前記行動情報とに基づいて第一人物を特定する第一人物特定部と、
前記監視カメラにて撮影した前記画像情報から、前記第一人物として特定された人物の前記人物情報と前記グループ情報とに基づいて、前記第一人物と同一グループに属する第二人物を特定する第二人物特定部と、
前記第一人物と前記第二人物とがそれぞれ特定された前記画像情報を撮影した前記監視カメラの位置情報に基づいて、前記第一人物と前記第二人物との位置を特定する位置特定部と、
を備えた、
人物検出システム。
【請求項２】
請求項１に記載の人物検出システムであって、
前記人物抽出部は、前記人物情報として人物の外観的な特徴を表す特徴情報を抽出し、
前記第一人物特定部は、前記特徴情報に基づいて前記第一人物として迷子を特定する、
人物検出システム。
【請求項３】
請求項２に記載の人物検出システムであって、
前記第一人物特定部は、前記行動情報と前記特徴情報とに基づいて、一人で行動している子供を前記第一人物である迷子として特定する、
人物検出システム。
【請求項４】
請求項２又は３に記載の人物検出システムであって、
前記第二人物特定部は、前記特徴情報に基づいて、前記第一人物として特定された迷子の保護者として前記第二人物を特定する、
人物検出システム。
【請求項５】
請求項１に記載の人物検出システムであって、
前記人物抽出部は、前記監視カメラとは異なるカメラで人物を撮影した画像情報から、当該人物の人物情報を抽出し、
さらに、
前記監視カメラとは異なるカメラで撮影した画像情報から抽出した人物の前記人物情報に基づいて、前記グループ情報の中から第三人物を特定する第三人物特定部と、
前記第三人物として特定された人物の前記人物情報と前記グループ情報とに基づいて、特定された前記第三人物と同一グループに属する第四人物を特定すると共に、前記監視カメラにて撮影した前記画像情報から、抽出した前記人物情報に基づいて前記第四人物を特定する第四人物特定部と、
を備え、
前記位置特定部は、前記第四人物が特定された前記画像情報を撮影した前記監視カメラの位置情報に基づいて、前記第四人物の位置を特定する、
人物検出システム。
【請求項６】
請求項５に記載の人物検出システムであって、
前記第三人物特定部は、保護者として前記第三人物を特定し、
前記第四人物特定部は、前記第三人物として特定された保護者の子供として前記第四人物を特定する、
人物検出システム。
【請求項７】
請求項１乃至６のいずれかに記載の人物検出システムであって、
前記グループ判定部は、新たな前記画像情報から抽出した前記行動情報に基づいて、前記グループ情報を更新して登録する、
人物検出システム。
【請求項８】
監視カメラにて撮影した画像情報から、人物を表す人物情報を抽出し、
前記画像情報から、前記人物の行動を表す行動情報を抽出し、当該行動情報に基づいて複数の人物により形成されるグループを判定して前記人物情報を含むグループ情報を登録し、
その後、前記監視カメラにて撮影した前記画像情報から、抽出した前記人物情報と前記行動情報とに基づいて第一人物を特定し、
前記監視カメラにて撮影した前記画像情報から、前記第一人物として特定された人物の前記人物情報と前記グループ情報とに基づいて、前記第一人物と同一グループに属する第二人物を特定し、
前記第一人物と前記第二人物とがそれぞれ特定された前記画像情報を撮影した前記監視カメラの位置情報に基づいて、前記第一人物と前記第二人物との位置を特定する、
人物検出方法。
【請求項９】
請求項８に記載の人物検出方法であって、
前記監視カメラとは異なるカメラで人物を撮影した画像情報から抽出した人物の前記人物情報に基づいて、前記グループ情報の中から第三人物を特定し、
前記第三人物として特定された人物の前記人物情報と前記グループ情報とに基づいて、特定された前記第三人物と同一グループに属する第四人物を特定すると共に、前記監視カメラにて撮影した前記画像情報から、抽出した前記人物情報に基づいて前記第四人物を特定し、
前記第四人物が特定された前記画像情報を撮影した前記監視カメラの位置情報に基づいて、前記第四人物の位置を特定する、
人物検出方法。
【請求項１０】
情報処理装置に、
監視カメラにて撮影した画像情報から、人物を表す人物情報を抽出する人物抽出部と、
前記画像情報から、前記人物の行動を表す行動情報を抽出し、当該行動情報に基づいて複数の人物により形成されるグループを判定して前記人物情報を含むグループ情報を登録するグループ判定部と、
前記監視カメラにて撮影した前記画像情報から、抽出した前記人物情報と前記行動情報とに基づいて第一人物を特定する第一人物特定部と、
前記監視カメラにて撮影した前記画像情報から、前記第一人物として特定された人物の前記人物情報と前記グループ情報とに基づいて、前記第一人物と同一グループに属する第二人物を特定する第二人物特定部と、
前記第一人物と前記第二人物とがそれぞれ特定された前記画像情報を撮影した前記監視カメラの位置情報に基づいて、前記第一人物と前記第二人物との位置を特定する位置特定部と、
を実現させるためのプログラム。
【発明の詳細な説明】
【技術分野】
【０００１】
本発明は、人物検出システムにかかり、特に、画像内から人物を検出する人物検出システムに関する。
【背景技術】
【０００２】
大型娯楽施設や商用施設において、子供が保護者とはぐれて迷子となった場合には、スタッフや他のお客様が泣いている子を発見し、迷子センターへ誘導することで初めて判明する。しかしながら、迷子の発見を人手や目視に頼っているため、正確性の低下や時間がかかる、という問題がある。
【０００３】
また、迷子を保護した後に保護者を引き合わせるためには、迷子の特徴を放送したり、保護者の迷子センターへの問い合わせに頼るのが現状である。しかしながら、迷子（特に小さい子）からは、情報の入手が困難である。また、放送を行わない娯楽施設もあり、保護者への喚起を行う手段が制限されている場合ある。このため、保護者への迷子の引き合わせにさらに時間がかかる、という問題がある。
【０００４】
一方で、迷子の検知手段として、あらかじめ無線通信機器を携帯させて場所を検知する、または音で知らせる、といったことが行われている。しかしながら、常にそのような機器を子供や保護者が装着していなければならず、機器装備の負担が生じる。
【先行技術文献】
【特許文献】
【０００５】
【特許文献１】特開２００７−６０５２８号公報
【発明の概要】
【発明が解決しようとする課題】
【０００６】
ここで、特許文献１に、迷子を検出するシステムが開示されている。特許文献１に開示の技術では、予め登録用カメラを用意し、当該登録用カメラにて、引率者と子供との顔画像を撮影し、各顔画像とメールアドレスなどを対応づけてデータベースに登録している。そして、監視カメラにより取得した各画像から人物の顔画像を検出し、一致する顔画像があるか否かを判定する。一致する顔画像がある場合には、監視カメラの位置から子供の位置を特定し、さらに、データベースから引率者を特定する。
【０００７】
しかしながら、上述した特許文献１の技術では、事前に引率者と子供とを登録用カメラで撮影して登録しなければならず、手間が生じる。一方で、撮影を怠った場合には、迷子を検出できない、という問題が生じる。
【０００８】
このため、本発明の目的は、上述した課題である、手間を削減しつつ、適切に迷子を検出することができる人物検出システムを提供することにある。
【課題を解決するための手段】
【０００９】
本発明の一形態である人物検出システムは、
監視カメラにて撮影した画像情報から、人物を表す人物情報を抽出する人物抽出部と、
前記画像情報から、前記人物の行動を表す行動情報を抽出し、当該行動情報に基づいて複数の人物により形成されるグループを判定して前記人物情報を含むグループ情報を登録するグループ判定部と、
前記監視カメラにて撮影した前記画像情報から、抽出した前記人物情報と前記行動情報とに基づいて第一人物を特定する第一人物特定部と、
前記監視カメラにて撮影した前記画像情報から、前記第一人物として特定された人物の前記人物情報と前記グループ情報とに基づいて、前記第一人物と同一グループに属する第二人物を特定する第二人物特定部と、
前記第一人物と前記第二人物とがそれぞれ特定された前記画像情報を撮影した前記監視カメラの位置情報に基づいて、前記第一人物と前記第二人物との位置を特定する位置特定部と、
を備えた、
という構成をとる。
【００１０】
また、本発明の一形態である人物検出方法は、
監視カメラにて撮影した画像情報から、人物を表す人物情報を抽出し、
前記画像情報から、前記人物の行動を表す行動情報を抽出し、当該行動情報に基づいて複数の人物により形成されるグループを判定して前記人物情報を含むグループ情報を登録し、
その後、前記監視カメラにて撮影した前記画像情報から、抽出した前記人物情報と前記行動情報とに基づいて第一人物を特定し、
前記監視カメラにて撮影した前記画像情報から、前記第一人物として特定された人物の前記人物情報と前記グループ情報とに基づいて、前記第一人物と同一グループに属する第二人物を特定し、
前記第一人物と前記第二人物とがそれぞれ特定された前記画像情報を撮影した前記監視カメラの位置情報に基づいて、前記第一人物と前記第二人物との位置を特定する、
という構成をとる。
【００１１】
本発明の一形態である人物検出システムは、
情報処理装置に、
監視カメラにて撮影した画像情報から、人物を表す人物情報を抽出する人物抽出部と、
前記画像情報から、前記人物の行動を表す行動情報を抽出し、当該行動情報に基づいて複数の人物により形成されるグループを判定して前記人物情報を含むグループ情報を登録するグループ判定部と、
前記監視カメラにて撮影した前記画像情報から、抽出した前記人物情報と前記行動情報とに基づいて第一人物を特定する第一人物特定部と、
前記監視カメラにて撮影した前記画像情報から、前記第一人物として特定された人物の前記人物情報と前記グループ情報とに基づいて、前記第一人物と同一グループに属する第二人物を特定する第二人物特定部と、
前記第一人物と前記第二人物とがそれぞれ特定された前記画像情報を撮影した前記監視カメラの位置情報に基づいて、前記第一人物と前記第二人物との位置を特定する位置特定部と、
を実現させる、
という構成をとる。
【発明の効果】
【００１２】
本発明は、以上のように構成されることにより、利用者の手間を削減しつつ、適切に人物を検出することができる。
【図面の簡単な説明】
【００１３】
【図１】本発明の第１の実施形態における情報処理システムの構成を示すブロック図である。
【図２】図１に開示した情報処理システムの動作を示すフローチャートである。
【図３】図１に開示した情報処理システムの動作を示す図である。
【図４】図１に開示した情報処理システムの動作を示すフローチャートである。
【図５】図１に開示した情報処理システムの動作を示す図である。
【図６】図１に開示した情報処理システムの動作を示すフローチャートである。
【図７】図１に開示した情報処理システムの動作を示す図である。
【図８】本発明の第２の実施形態における情報処理システムの構成を示すブロック図である。
【発明を実施するための形態】
【００１４】
＜実施形態１＞
本発明の第１の実施形態を、図１乃至図７を参照して説明する。図１は、実施形態１における情報処理システムの構成を説明するための図である。図２乃至図７は、情報処理システムの動作を説明するための図である。
【００１５】
本発明における情報処理システム（人物検出システム）は、主に、大型娯楽施設や商用施設において、迷子を検出して保護者と引き合わせるために利用可能である。但し、本発明の情報処理システムは、迷子を検出することに限定されず、いかなる場所でいかなる人物を検出するために利用されてもよい。
【００１６】
［構成］
本実施形態における情報処理システム１０は、演算装置や記憶装置を備えた、１台又は複数台の情報処理装置にて構成されている。情報処理システム１０は、図１に示すように、演算装置がプログラムを実行することで構築された、特徴抽出部１１、人物抽出部１２、個人特徴解析部１３、行動解析部１４、グループ判断部１５、迷子特定部１６、保護者特定部、人物位置特定部１８、を備えている。また、情報処理システム１０は、記憶装置に形成された、位置情報データベース（ＤＢ）２１、グループデータベース（ＤＢ）２２、を備えている。
【００１７】
さらに、情報処理システム１０には、監視カメラ３１及びカメラ３２が接続可能となっている。監視カメラ３１は、施設内の複数箇所に設置されており、設置箇所の画像を撮影し、画像情報を情報処理システムに１０に入力している。このとき、情報処理システム１０内では、監視カメラ３１と、当該監視カメラ３１の設置箇所に対応する位置情報とが、関連付けられて登録されている。つまり、情報処理システム１０では、監視カメラ３１から入力された画像情報の撮影位置を認識することができる。例えば、監視カメラ３１は、施設の入り口や、施設内の目印となる箇所に設置されている。
【００１８】
また、上記カメラ３２は、上記監視カメラ３１とは異なるカメラであり、施設内の所定箇所に用意されている。カメラ３２は、デジタルカメラや携帯電話に装備されたカメラであってもよく、無線や有線によって情報処理システムに接続され、撮影した画像情報を情報処理システム１０に入力可能である。
【００１９】
上記特徴抽出部１１、人物抽出部１２、個人特徴解析部１３は、協働して、監視カメラ３１にて撮影した画像情報から、人物を表す人物情報を抽出する人物抽出部として機能する。具体的に、特徴抽出部１１は、画像情報から人物の輪郭等の外観的な特徴を表す特徴情報の抽出を行う。人物抽出部１２は、抽出した特徴情報から人物を自動的に把握していく。個人特徴解析部１３は、把握した各人物の年齢、服、体格等の個人特徴解析を行い、人物毎の人物情報として、監視カメラ３１の位置情報及び撮影時刻と結び付けて、位置情報データベース２１に保存する。これにより、位置情報データベース２１は、各人物の特徴と、当該人物が出現した場所及び時刻を記憶していることとなり、人物の移動に伴い更新される。
【００２０】
上記行動解析部１４及びグループ判断部１５は、協働して、複数の人物により形成されるグループを判定して、グループと判定された複数の人物情報を含むグループ情報をグループデータベース２２に登録するグループ判定部として機能する。具体的に、行動解析部１４は、動画である画像より人物の行動を解析して行動情報を抽出する。グループ判断部１５は、行動情報に基づいて、相互に近い距離にいる複数の人物間における行動、例えば、移動の方向、タイミングや、会話をしているか等の行動解析を行い、複数の人物かグループか否かを自動的に判定する。グループと判断した場合は、複数の人物情報を１つのグループ情報としてグループデータベース２２に登録する。
【００２１】
なお、グループ判断部１５によるグループ登録処理は、例えば、施設の入口付近に設置された監視カメラ３１で撮影した映像から行う。但し、グループ登録処理は、あらゆる監視カメラ３１で撮影した映像から行ってもよく、グループの判別を行う度に、グループ情報の更新を行ってもよい。例えば、もともと４人の人物からなるグループが、２人ずつのグループに分割したと判断した場合には、２人ずつのグループ情報をそれぞれ登録すると共に、これらグループ情報を相互に関連付けて登録してもよい。
【００２２】
上記迷子特定部１６（第一人物特定部）は、監視カメラにて撮影した画像情報から、抽出した人物情報と行動情報とに基づいて迷子（第一人物）を特定する。例えば、迷子特定部１６は、ある場所に設置された監視カメラ３１の画像から、上述した特徴抽出部１１、人物抽出部１２、個人特徴解析部１３にて、輪郭等の特徴抽出を行い、人物を自動的に把握し、各人物の年齢、服、体格等の個人特徴解析を行った結果である人物情報に基づいて、特に迷子になりうる年齢の人物のみを抽出する。さらに、迷子特定部１６は、並行して上述した行動解析部１４にて行われた人物の行動解析結果である、不安げな表情や行動、単独（一人）で行動しているか等の情報より、迷子の可能性があると判断した場合は、かかる人物を迷子と特定する。
【００２３】
なお、迷子特定部１６は、監視カメラ３１の設置位置や状況によっては、迷子と判定しないケースも設けてもよい。例えば、託児所にいる場合など、例外的に子供が親と離れていると考えられる場所では、子供が一人で行動していても、迷子と特定しなくてもよい。
【００２４】
上記人物位置特定部１８は、上述したように迷子特定部１６で特定された迷子の位置を、当該迷子を撮影した監視カメラ３１の位置情報に基づいて特定して出力する。迷子の位置情報は、例えば、迷子の位置にスタッフを派遣できるよう施設スタッフに対して通知するよう出力される。
【００２５】
上記保護者特定部１７（第二人物特定部）は、迷子特定部１６にて特定された迷子の人物情報とグループデータベース２２に登録されたグループ情報とに基づいて、迷子と同一グループに属する保護者（第二人物）を特定する。例えば、保護者特定部１７は、迷子の特徴情報をグループデータベース２２に問い合わせ、かかる迷子が属するグループを特定し、特定したグループ内の人物情報から大人と思われる保護者を特定する。
【００２６】
上記人物位置特定部１８は、上述したように保護者特定部１７で特定された保護者の位置を、当該保護者の人物情報を位置情報データベース２１に問い合わせて特定する。保護者の位置情報は、例えば、保護者の位置にスタッフを派遣できるように、施設スタッフに対して通知するよう出力される。
【００２７】
また、上述した特徴抽出部１１、人物抽出部１２、個人特徴解析部１３は、協働して、カメラ３２にて撮影した画像情報から、人物を表す人物情報を抽出する人物抽出部として機能する。具体的には、カメラ３２では迷子を探している保護者が撮影されるが、その画像情報から、上述同様に、人物の輪郭等の特徴情報の抽出を行い、人物を自動的に把握し、個人特徴解析を行う。そして、抽出した人物情報を保護者特定部１７に渡す。
【００２８】
上記保護者特定部１７（第三人物特定部）は、カメラ３２にて撮影された画像から抽出された人物情報に基づいて、グループデータベース２２内を検索する。そして、グループデータベース２２内に登録されているグループ情報に含まれる人物情報のうち、画像から抽出された人物情報と合致する人物を、保護者（第三人物）として特定する。このとき、特定した保護者が属するグループも特定する。
【００２９】
また、上記迷子特定部１６（第四人物特定部）は、上述したように特定した保護者のグループ内から、そのグループ情報に含まれる人物情報に基づいて迷子（第四人物）を特定して、迷子の人物情報を抽出する。このとき、例えば、グループ内の人物情報を調べ、その特徴情報などから子供と判定される人物を迷子として特定して、その人物情報を抽出する。さらに、迷子特定部１６は、監視カメラ３１にて撮影した画像から、抽出した迷子を特定する。例えば、抽出した迷子の人物情報を位置情報データベース２１に問い合わせ、一致する人物情報の人物を迷子として特定する。
【００３０】
上記人物位置特定部１８は、上述したように特定した迷子の人物情報から、位置情報データベース２１を用いて、当該迷子の位置を特定する。迷子の位置情報は、例えば、迷子の位置にスタッフを派遣できるよう施設スタッフに対して通知するよう出力される。
【００３１】
［動作］
次に、上述した情報処理システムの動作を説明する。以下では、（１）グループ登録動作、（２）第一の迷子発見動作、（３）第二の迷子発見動作、を詳細に説明する。
【００３２】
（１）グループ登録動作
図２及び図３を参照して、施設内にある監視カメラ３１を用いて、お客様の位置情報及びグループ情報を判断し、データベースにリアルタイムに更新していくときの動作を説明する。
【００３３】
まず、施設の各入口で来場者を監視カメラ３１で撮影する（図２のステップＳ１）。そして、画像から輪郭等の特徴抽出を行い（図３のステップＳ１１）、人物を自動的に把握していく（図３のステップＳ１２）。さらに、各人物の年齢、服、体格等の個人特徴解析を行って、各人物の人物情報を抽出し、かかる人物情報と監視カメラ３１の位置情報とを結び付けて、位置情報データベース２１に保存する（図３のステップＳ１３）。
【００３４】
また、近い距離にいる人物間で、移動の方向、タイミングや、会話をしているか等の行動解析を行い（図３のステップＳ１４）、複数の人物かグループか否かを自動的に判定する（図２のステップＳ２、図３のステップＳ１５）。例えば、身長や年齢認識を用い、特に子供とその保護者の組み合わせをグループと判断する。複数の人物をグループと判断した場合は、各人物の人物情報を含むグループ情報をグループデータベース２２に登録する（図２のステップＳ３）。これにより、後述するように、あるグループの人物が検索対象となると、同じグループと判定された他の人物の情報が出力できるようになっている。
【００３５】
なお、施設内のいかなる監視カメラ３１でも、常にリアルタイムに画像を撮影して、人物抽出と解析を行い、監視カメラ３１の位置情報と共に人物情報を含むグループ情報を更新登録していく。これにより、どこに個人やグループがいるのかということが適宜更新される。また、各出口付近の監視カメラ３１での撮影及び画像の解析によって、あるグループのメンバー全員が退場したと判断した場合には、そのグループ情報をグループデータベース２２から削除する。
【００３６】
同時に、各監視カメラ３１にて画像が撮影される度に、上述したように画像から人物情報が抽出され、当該人物情報の位置情報が位置情報データベース２１に登録される。そして、位置情報データベース２１は、人物の移動に伴い更新される。
【００３７】
（２）第一の迷子発見動作
図４及び図５を参照して、保護者から連絡を受ける前に迷子を発見した場合であり、保護者への連絡までの動作を説明する。
【００３８】
まず、施設の各場所に設置された監視カメラ３１で画像を撮影する（図４のステップＳ２１）。そして、画像から輪郭等の特徴抽出を行い（図５のステップＳ３１）、人物を自動的に把握していく（図５のステップＳ３２）。さらに、各人物の年齢、服、体格等の個人特徴解析を行い（図５のステップＳ３３）、特に迷子になりうる年齢の人物のみを抽出する。並行して、その人物の行動解析を行い（図５のステップＳ３４）、不安げな表情や行動、単独で行動しているか等の情報より迷子の可能性があると判断した場合は、その人物を迷子として特定する（図４のステップＳ２２、図５のステップＳ３５）。このとき、即座に現地にスタッフを派遣できるよう施設スタッフに通知する（図５のステップＳ３６）。現地でスタッフが迷子と判断した場合は、迷子を保護する。
【００３９】
さらに、上述した処理に加えて、特定した迷子の人物情報をグループデータベース２２に問い合わせ、保護者の人物情報を特定する（図４のステップＳ２３、図５のステップＳ３７）。例えば、特定した迷子が属するグループ内の人物情報から、大人と思われる人物を保護者として特定する。そして、保護者の人物情報を位置情報データベース２１に問い合わせ、保護者の現在位置を特定する（図４のステップＳ２４、図５のステップＳ３８）。このとき、そこにスタッフを派遣することで、保護者に迷子を保護していることを知らせ（図５のステップＳ３９）、保護者と迷子を速やかに引き合わせることが可能となる。
【００４０】
（３）第二の迷子発見動作
図６及び図７を参照して、保護者から迷子の問い合わせがあった場合であり、迷子保護までの動作を説明する。
【００４１】
保護者が迷子センターに迷子がいないか問い合わせてきた場合に、まずカメラ３２で保護者を撮影する（図６のステップＳ４１）。そして、保護者を撮影した画像から、特徴抽出（図７のステップＳ５１）、人物抽出（図７のステップＳ５２）、個人特徴抽出（図７のステップＳ５３）を経て、保護者の人物情報を抽出する。そして、保護者の人物情報を元にグループデータベース２２に問い合わせ、保護者と同一グループの迷子を特定し（図６のステップＳ４２、図７のステップＳ５４）、当該迷子の特徴を表す人物情報を取得する。
【００４２】
続いて、迷子の人物情報を位置情報データベース２１に問い合わせ、迷子の位置情報を取得する（図６のステップＳ４３、図７のステップＳ５５）。このことをスタッフに知らせることで、スタッフは現地で迷子を速やかに保護し、保護者に引き合わせることができる。
【００４３】
なお、本実施形態では、グループデータベース２２の問い合わせに保護者をカメラ３２で撮影した画像を利用しているが、偽保護者のなりすましによる誘拐を防ぐ、及び人手によるミスを排除する効果がある。
【００４４】
以上のように、本発明によると、迷子の発生から検知、その後の保護者との引き合わせまでの実行が、より短時間に、より正確に、より人手を介さず実施可能となる。その際に、モバイル機器の携帯電話等を必要とすることなく、場内に設置されたカメラ機器でシステムを構築可能であるため、サービス提供者や利用者の手間も軽減できる。
【００４５】
なお、上述した情報処理システムにおいて、迷子の検知やグループの検知が、カメラ精度、行動認識の精度の問題で難しい場合は、対象を１つに限らず複数の候補を回答する形式としてもよい。その場合は、選ばれた複数の対象と与えられたヒント（何%の確率でマッチ、顔は似ているが服装が異なっている、等の情報）から、目視で正解の１つを選別してもよい。複数の候補を回答する場合でも、当たりの可能性がマッチングの過程で算出できているのであれば、当たりの可能性の高い順にソートして出力することで、迷子と保護者の引き合わせをより早く行うことの助けになる。
【００４６】
＜実施形態２＞
次に、本発明の第２の実施形態を、図８を参照して説明する。図８は、実施形態２における人物検出システムの構成を示すブロック図である。なお、本実施形態における人物検出システムは、実施形態１で説明した情報処理システムの構成の概略を示している。
【００４７】
図８に示すように、本実施形態おける人物検出システム１００は、監視カメラ１１０にて撮影した画像情報から、人物を表す人物情報を抽出する人物抽出部１０１と、
画像情報から、人物の行動を表す行動情報を抽出し、当該行動情報に基づいて複数の人物により形成されるグループを判定して人物情報を含むグループ情報を登録するグループ判定部１０２と、
監視カメラ１１０にて撮影した画像情報から、抽出した人物情報と行動情報とに基づいて第一人物を特定する第一人物特定部１０３と、
監視カメラ１１０にて撮影した画像情報から、第一人物として特定された人物の人物情報とグループ情報とに基づいて、第一人物と同一グループに属する第二人物を特定する第二人物特定部１０４と、
第一人物と第二人物とがそれぞれ特定された画像情報を撮影した監視カメラ１１０の位置情報に基づいて、第一人物と第二人物との位置を特定する位置特定部１０５と、
を備えている。
【００４８】
なお、上述した各構成１０１〜１０５は、情報処理装置に装備された演算装置がプログラムを実行することで、構築されてもよい。
【００４９】
上記構成の人物検出システムによると、まず、監視カメラにて撮影した画像情報から人物情報と行動情報とが抽出され、当該人物情報と行動情報とから自動的に複数の人物からなるグループ情報が登録される。このため、ユーザの手間がかからず、必ずグループ登録されることとなる。その後、あらゆる場所の監視カメラにて撮影した画像情報から抽出した人物情報と行動情報とに基づいて第一人物（例えば迷子）を特定した場合に、当該第一人物の人物情報とグループ情報とから、当該第一人物が属するグループの第二人物（例えば保護者）を特定する。そして、第一人物と第二人物とがそれぞれ撮影された監視カメラの位置情報を用いることで、それらの位置を特定することができる。その結果、事前に登録用カメラで撮影するなどの準備が不用となり、利用者の手間を削減しつつ、適切に人物を検出することができる。
【００５０】
また、上述した構成に加え、上記人物抽出部は、監視カメラとは異なるカメラで人物を撮影した画像情報から、当該人物の人物情報を抽出する。そして、人物検出システムは、さらに、監視カメラとは異なるカメラで撮影した画像情報から抽出した人物の人物情報に基づいて、グループ情報の中から第三人物を特定する第三人物特定部と、第三人物として特定された人物の人物情報とグループ情報とに基づいて、特定された前記第三人物と同一グループに属する第四人物を特定すると共に、監視カメラにて撮影した画像情報から、抽出した人物情報に基づいて前記第四人物を特定する第四人物特定部と、を備える。そしてさらに、上記位置特定部は、第四人物が特定された画像情報を撮影した監視カメラの位置情報に基づいて、第四人物の位置を特定する。
【００５１】
上記構成によると、まず、第三人物（例えば保護者）を監視カメラとは異なるカメラで撮影することで、その画像情報から抽出した人物情報から、グループ情報内の第三人物を特定する。そして、この第三人物と同一グループに属する第四人物（例えば迷子）をグループ情報内から特定することで当該第四人物の人物情報を取得し、監視カメラにて撮影した画像情報から第四人物を特定して、その位置を特定することができる。このように、第三人物が第四人物を探している場合であっても、適切に人物を検出することができる。
【００５２】
＜付記＞
上記実施形態の一部又は全部は、以下の付記のようにも記載されうる。以下、本発明における人物検出システム、プログラム、人物検出方法の構成の概略を説明する。但し、本発明は、以下の構成に限定されない。
【００５３】
（付記１）
監視カメラにて撮影した画像情報から、人物を表す人物情報を抽出する人物抽出部と、
前記画像情報から、前記人物の行動を表す行動情報を抽出し、当該行動情報に基づいて複数の人物により形成されるグループを判定して前記人物情報を含むグループ情報を登録するグループ判定部と、
前記監視カメラにて撮影した前記画像情報から、抽出した前記人物情報と前記行動情報とに基づいて第一人物を特定する第一人物特定部と、
前記監視カメラにて撮影した前記画像情報から、前記第一人物として特定された人物の前記人物情報と前記グループ情報とに基づいて、前記第一人物と同一グループに属する第二人物を特定する第二人物特定部と、
前記第一人物と前記第二人物とがそれぞれ特定された前記画像情報を撮影した前記監視カメラの位置情報に基づいて、前記第一人物と前記第二人物との位置を特定する位置特定部と、
を備えた、
人物検出システム。
【００５４】
（付記２）
付記１に記載の人物検出システムであって、
前記人物抽出部は、前記人物情報として人物の外観的な特徴を表す特徴情報を抽出し、
前記第一人物特定部は、前記特徴情報に基づいて前記第一人物として迷子を特定する、
人物検出システム。
【００５５】
（付記３）
付記２に記載の人物検出システムであって、
前記第一人物特定部は、前記行動情報と前記特徴情報とに基づいて、一人で行動している子供を前記第一人物である迷子として特定する、
人物検出システム。
【００５６】
（付記４）
付記２又は３に記載の人物検出システムであって、
前記第二人物特定部は、前記特徴情報に基づいて、前記第一人物として特定された迷子の保護者として前記第二人物を特定する、
人物検出システム。
【００５７】
（付記５）
付記１に記載の人物検出システムであって、
前記人物抽出部は、前記監視カメラとは異なるカメラで人物を撮影した画像情報から、当該人物の人物情報を抽出し、
さらに、
前記監視カメラとは異なるカメラで撮影した画像情報から抽出した人物の前記人物情報に基づいて、前記グループ情報の中から第三人物を特定する第三人物特定部と、
前記第三人物として特定された人物の前記人物情報と前記グループ情報とに基づいて、特定された前記第三人物と同一グループに属する第四人物を特定すると共に、前記監視カメラにて撮影した前記画像情報から、抽出した前記人物情報に基づいて前記第四人物を特定する第四人物特定部と、
を備え、
前記位置特定部は、前記第四人物が特定された前記画像情報を撮影した前記監視カメラの位置情報に基づいて、前記第四人物の位置を特定する、
人物検出システム。
【００５８】
（付記６）
付記５に記載の人物検出システムであって、
前記第三人物特定部は、保護者として前記第三人物を特定し、
前記第四人物特定部は、前記第三人物として特定された保護者の子供として前記第四人物を特定する、
人物検出システム。
【００５９】
（付記７）
付記１乃至６のいずれかに記載の人物検出システムであって、
前記グループ判定部は、新たな前記画像情報から抽出した前記行動情報に基づいて、前記グループ情報を更新して登録する、
人物検出システム。
【００６０】
（付記８）
監視カメラにて撮影した画像情報から、人物を表す人物情報を抽出し、
前記画像情報から、前記人物の行動を表す行動情報を抽出し、当該行動情報に基づいて複数の人物により形成されるグループを判定して前記人物情報を含むグループ情報を登録し、
その後、前記監視カメラにて撮影した前記画像情報から、抽出した前記人物情報と前記行動情報とに基づいて第一人物を特定し、
前記監視カメラにて撮影した前記画像情報から、前記第一人物として特定された人物の前記人物情報と前記グループ情報とに基づいて、前記第一人物と同一グループに属する第二人物を特定し、
前記第一人物と前記第二人物とがそれぞれ特定された前記画像情報を撮影した前記監視カメラの位置情報に基づいて、前記第一人物と前記第二人物との位置を特定する、
人物検出方法。
【００６１】
（付記９）
付記８に記載の人物検出方法であって、
前記監視カメラとは異なるカメラで人物を撮影した画像情報から抽出した人物の前記人物情報に基づいて、前記グループ情報の中から第三人物を特定し、
前記第三人物として特定された人物の前記人物情報と前記グループ情報とに基づいて、特定された前記第三人物と同一グループに属する第四人物を特定すると共に、前記監視カメラにて撮影した前記画像情報から、抽出した前記人物情報に基づいて前記第四人物を特定し、
前記第四人物が特定された前記画像情報を撮影した前記監視カメラの位置情報に基づいて、前記第四人物の位置を特定する、
人物検出方法。
【００６２】
（付記１０）
情報処理装置に、
監視カメラにて撮影した画像情報から、人物を表す人物情報を抽出する人物抽出部と、
前記画像情報から、前記人物の行動を表す行動情報を抽出し、当該行動情報に基づいて複数の人物により形成されるグループを判定して前記人物情報を含むグループ情報を登録するグループ判定部と、
前記監視カメラにて撮影した前記画像情報から、抽出した前記人物情報と前記行動情報とに基づいて第一人物を特定する第一人物特定部と、
前記監視カメラにて撮影した前記画像情報から、前記第一人物として特定された人物の前記人物情報と前記グループ情報とに基づいて、前記第一人物と同一グループに属する第二人物を特定する第二人物特定部と、
前記第一人物と前記第二人物とがそれぞれ特定された前記画像情報を撮影した前記監視カメラの位置情報に基づいて、前記第一人物と前記第二人物との位置を特定する位置特定部と、
を実現させるためのプログラム。
【００６３】
（付記１１）
付記１０に記載のプログラムであって、
前記人物抽出部は、前記監視カメラとは異なるカメラで人物を撮影した画像情報から、当該人物の人物情報を抽出し、
さらに、前記情報処理装置に、
前記監視カメラとは異なるカメラで撮影した画像情報から抽出した人物の前記人物情報に基づいて、前記グループ情報の中から第三人物を特定する第三人物特定部と、
前記第三人物として特定された人物の前記人物情報と前記グループ情報とに基づいて、特定された前記第三人物と同一グループに属する第四人物を特定すると共に、前記監視カメラにて撮影した前記画像情報から、抽出した前記人物情報に基づいて前記第四人物を特定する第四人物特定部と、
を実現させ、
前記位置特定部は、前記第四人物が特定された前記画像情報を撮影した前記監視カメラの位置情報に基づいて、前記第四人物の位置を特定する、
プログラム。
【００６４】
なお、上述したプログラムは、記憶装置に記憶されていたり、コンピュータが読み取り可能な記録媒体に記録されている。例えば、記録媒体は、フレキシブルディスク、光ディスク、光磁気ディスク、及び、半導体メモリ等の可搬性を有する媒体である。
【００６５】
以上、上記実施形態等を参照して本願発明を説明したが、本願発明は、上述した実施形態に限定されるものではない。本願発明の構成や詳細には、本願発明の範囲内で当業者が理解しうる様々な変更をすることができる。
【符号の説明】
【００６６】
１０  情報処理システム
１１  特徴抽出部
１２  人物抽出部
１３  個人特徴解析部
１４  行動解析部
１５  グループ判断部
１６  迷子特定部
１７  保護者特定部
１８  人物位置特定部
２１  位置情報データベース
２２  グループデータベース
３１  監視カメラ
３２  カメラ
１００  人物検出システム
１０１  人物抽出部
１０２  グループ判定部
１０３  第一人物特定部
１０４  第二人物特定部
１０５  位置特定部
１１０  監視カメラ
【図１】
2018132803.tif 000003
【図２】
2018132803.tif 000004
【図３】
2018132803.tif 000005
【図４】
2018132803.tif 000006
【図５】
2018132803.tif 000007
【図６】
2018132803.tif 000008
【図７】
2018132803.tif 000009
【図８】
2018132803.tif 000010